(57)【要約】【課題】テキストのユーザへの情報提供手法として蓄積型データ放送サービスを利用することにより、コストの削減、ユーザの負担の減少、テキストの効果的な活用及び環境問題を考慮した情報提供システムを提供する。【解決手段】例えば放送局から送信される放送波を利用して、コンテンツ及びコンテンツコードを利用者の家庭などに送信する。一方、同様のコンテンツコードが予め記録されたペーパー状表示媒体が販売又は無料配布などの方法により利用者に提供される。利用者はペーパー状表示媒体を家庭の放送受信機などにセットすると、コード読取手段がペーパー状表示媒体に記録されているコンテンツコードを読み取る。また、任意情報読取手段は、ペーパー状表示媒体に設定されている利用者の任意情報を読み取る。そして、コンテンツコード読取手段により読み取ったコンテンツコードに対応するコンテンツを記録手段から取得し、任意情報読取手段により読み取った利用者の任意情報に基づいて、当該コンテンツを当該ペーパー状表示媒体上に表示する。【選択図】　　　図１
2004040702.tif 000002
【特許請求の範囲】
【請求項１】
コンテンツ及び当該コンテンツに対応するコンテンツコードを受信するコンテンツ受信手段と、
前記コンテンツ及び前記コンテンツコードを記憶するコンテンツ記憶手段と、コンテンツコードが記録されているペーパー状表示媒体からコンテンツコードを読み取るコンテンツコード読取手段と、
利用者の任意情報が設定されている前記ペーパー状表示媒体から前記利用者の任意情報を読み取る任意情報読取手段と、
前記コンテンツコード読取手段が読み取ったコンテンツコードに対応するコンテンツを前記コンテンツ記憶手段から取得するコンテンツ取得手段と、
前記任意情報読取手段が読み取った任意情報に基づいて、前記コンテンツ取得手段が取得したコンテンツをペーパー状表示媒体上に表示する制御手段と、を備えることを特徴とする情報提供システム。
【請求項２】
前記利用者の任意情報は、前記利用者が記録装置を使用してペーパー状表示媒体に記録することにより設定され、前記記録は書き換え可能であることを特徴とする請求項１に記載の情報提供システム。
【請求項３】
前記利用者の任意情報は、ペーパー状表示媒体の有する複数のチェックボックスから１つを選択して記録することにより設定されることを特徴とする請求項１又は２に記載の情報提供システム。
【請求項４】
前記ペーパー状表示媒体は、前記コンテンツを表示するためのコンテンツ表示部と、前記コンテンツコードを変更不能な状態で記録する不変コード記録部と、前記利用者の任意情報を記録するための任意情報記録部と、を備えることを特徴とする請求項１乃至３のいずれか一項に記載の情報提供システム。
【請求項５】
データ放送番組及び当該データ放送番組に対応する番組コードを受信する番組受信手段と、
番組コードが記録されているペーパー状表示媒体から番組コードを読み取る番組コード読取手段と、
前記番組コード読取手段が読み取った番組コードに対応するデータ放送番組を再生する番組再生手段と、
前記再生手段により再生されたデータ放送番組に関する時間情報を算出する時間情報算出手段と、
放送波を通じて、コンテンツ及び当該コンテンツに対応するコンテンツコードを受信するコンテンツ受信手段と、
前記コンテンツ及び前記コンテンツコードを記憶するコンテンツ記憶手段と、コンテンツコードが記録されているペーパー状表示媒体からコンテンツコードを読み取るコンテンツコード読取手段と、
表示許可情報が記録されているペーパー状表示媒体から表示許可情報を読み取る表示許可情報読取手段と、
前記コンテンツコード読取手段が読み取ったコンテンツコードに対応するコンテンツを前記コンテンツ記憶手段から取得するコンテンツ取得手段と、
前記データ放送番組の再生の有無、前記時間情報算出手段による前記時間情報及び表示許可時間読取手段による表示許可情報に基づいて、前記コンテンツ取得手段が取得したコンテンツをペーパー状表示媒体上に表示する制御手段と、を備えることを特徴とする情報提供システム。
【請求項６】
前記時間情報は、前記データ放送番組の再生開始後に経過した時間であり、前記表示許可情報は、コンテンツの表示を許可するために前記データ放送番組の再生開始後に経過した一定の時間であって、
前記制御手段は、前記時間情報が前記表示許可情報を上回った場合に限り、前記コンテンツをペーパー状表示媒体に表示することを特徴とする請求項５に記載の情報提供システム。
【請求項７】
前記表示許可情報は、１つのコンテンツに対して複数設定することが可能であることを特徴とする請求項５又は６に記載の情報提供システム。
【請求項８】
前記番組再生手段は、
前記番組受信手段が受信した前記データ放送番組及び当該データ放送番組に対応する番組コードを記憶する番組記憶手段と、
前記番組コード読取手段が読み取った番組コードに対応するデータ放送番組を前記番組記憶手段から取得して再生する手段と、を備えることを特徴とする請求項５乃至７のいずれか一項に記載の情報提供システム。
【請求項９】
前記番組再生手段は、前記番組受信手段がリアルタイムで受信しているデータ放送番組を再生することを特徴とする請求項５乃至７のいずれか一項に記載の情報提供システム。
【請求項１０】
コンテンツに付与されたコンテンツコードを、変更不能な状態で記録した不変コード記録部と、
前記コンテンツを表示するための記録部と、
前記利用者の任意情報を記録するための任意情報記録部と、を備えることを特徴とするペーパー状表示媒体。
【請求項１１】
前記任意情報記録部はチェックボックスであり、前記任意情報は、利用者が記録装置を使用して、前記チェックボックスに記録することにより設定されることを特徴とする請求項１０に記載のペーパー状表示媒体。
【請求項１２】
前記不変コード記録部は、さらに、前記コンテンツをペーパー状表示媒体上に表示する際の時間的制限である表示許可情報が記録されていることを特徴とする請求項１０又は１１に記載のペーパー状表示媒体。
【発明の詳細な説明】
【０００１】
【発明の属する技術分野】
本発明は、デジタル放送における蓄積型データ放送サービスを利用して情報を提供する方法に関する。
【０００２】
【従来の技術】
現在、データ放送サービスを行うデジタル放送としてＢＳデジタル放送が、２０００年よりサービスを開始している。また、蓄積型データ放送サービスを行うＣＳデジタル放送が、２００２年よりサービス開始を予定している。
【０００３】
蓄積型データ放送サービスとは、利用者の家庭に設置される受信機が放送番組をデジタルデータとして蓄積できるようになっており、利用者は放送番組のタイムテーブルを気にすることなく、都合のよい時間帯に必要な番組を選択して再生、視聴することができるサービスである。
【０００４】
デジタル放送における放送番組のデジタルデータの記述言語としては、ＢＳデジタル放送、東経１１０度ＣＳ放送、地上波デジタル放送のいずれもが、ＸＭＬ（ｅＸｔｅｎｓｉｂｌｅ　Ｍａｒｋｕｐ　Ｌａｎｇｕａｇｅ）をベースとしたＢＭＬ（Ｂｒｏａｄｃａｓｔ　Ｍａｒｋｕｐ　Ｌａｎｇｕａｇｅ）を用いることを予定している。ＢＭＬとは、ＸＭＬをベースとしてデータ放送用途に専用化した記述言語である。データ放送サービスを行うデジタル放送に対応した受信機は、ＢＭＬで記述された放送番組のデジタルデータを解読し、テレビ画面にデータ放送番組を表示する。
【０００５】
このように記述言語としてＢＭＬを利用することにより、データ放送サービスは、ユーザに、データ放送コンテンツとして様々な情報を提供することができる。そのため、番組放送以外におけるデータ放送サービスの有効な利用方法が模索されている。
【０００６】
データ放送サービスの利用方法としては、番組として放送されている英会話などに付属した語学テキストの情報をユーザに提供することが挙げられる。即ち、蓄積型データ放送サービスを利用して当該語学テキストの情報をデータ放送コンテンツとして受信機に蓄積し、所定の要件を満たしたユーザに対して当該情報を提供するのである。
【０００７】
現在、教育番組、例えば英語などの語学番組に付属した語学テキストは、印刷会社において製本され、書店などで発売されている。通常、発売頻度は、当該番組の進行に合わせて１ヶ月毎である。そして、ユーザは、書店などで発売されている当該語学テキストを毎月購入し、当該番組を視聴しながら語学の学習を進める。
【０００８】
【発明が解決しようとする課題】
しかし、語学テキストは、対応する語学番組の進行に合わせて参考にするものであり、時間の経過と共に価値を失うものである。そのため、語学テキストを紙媒体としてユーザに提供することは、資源の有効活用という観点から効率的ではない。また、語学テキストを印刷会社で製本し、毎月発売するという従来の方法はコストがかかるという問題もある。
【０００９】
また、現在の語学テキストは、番組進行における１ヶ月分の情報が含まれているので、例えば、英会話番組の場合、ユーザはネイティブスピーカーの英会話を聞く前に日本語訳を読むことができる。即ち、語学番組の進行に関わらず、ユーザは任意のタイミングで購入したテキストを参照することができるため、最も効果的なタイミングでテキストを参照することができない。
【００１０】
本発明は以上の点に鑑みてなされたものであり、テキストのユーザへの情報提供として蓄積型データ放送サービスを利用することにより、コストの削減、ユーザの負担の減少、テキストの効果的な活用及び環境問題を考慮した情報提供システムを提供することを課題とする。
【００１１】
【課題を解決するための手段】
本発明の１つの観点では、情報提供システムは、コンテンツ及び当該コンテンツに対応するコンテンツコードを受信するコンテンツ受信手段と、前記コンテンツ及び前記コンテンツコードを記憶するコンテンツ記憶手段と、コンテンツコードが記録されているペーパー状表示媒体からコンテンツコードを読み取るコンテンツコード読取手段と、利用者の任意情報が設定されている前記ペーパー状表示媒体から前記利用者の任意情報を読み取る任意情報読取手段と、前記コンテンツコード読取手段が読み取ったコンテンツコードに対応するコンテンツを前記コンテンツ記憶手段から取得するコンテンツ取得手段と、前記任意情報読取手段が読み取った任意情報に基づいて、前記コンテンツ取得手段が取得したコンテンツをペーパー状表示媒体上に表示する制御手段と、を備える。
【００１２】
上記のように構成された情報提供システムは、コンテンツ及びコンテンツコードを利用者の家庭などに送信する。コンテンツは、例えば、英会話番組に対応する英語テキストその他の情報とすることができ、コンテンツコードはそのコンテンツに対して一意に付与されたコードとすることができる。
【００１３】
一方、同様のコンテンツコードが予め記録されたペーパー状表示媒体が販売又は無料配布などの方法により利用者に提供される。利用者はペーパー状表示媒体を家庭の放送受信機などにセットすると、コード読取手段がペーパー状表示媒体に記録されているコンテンツコードを読み取る。また、任意情報読取手段は、ペーパー状表示媒体に設定されている利用者の任意情報を読み取る。利用者の任意情報とは、利用者がペーパー状表示媒体上に設定することができる任意の情報であり、例えば、コンテンツが英語テキストである場合、利用者の英語の知識レベル等とすることができる。
【００１４】
そして、コンテンツコード読取手段により読み取ったコンテンツコードに対応するコンテンツを記録手段から取得し、任意情報読取手段により読み取った利用者の任意情報に基づいて、当該コンテンツを当該ペーパー状表示媒体上に表示する。
【００１５】
こうして、ペーパー状表示媒体に予め記録されているコンテンツコードに対応するコンテンツを、利用者が任意に設定した情報に基づいて、ペーパー状表示媒体上に表示することができる。繰り返し表示可能なペーパー状表示媒体を利用すれば、例えば、毎日放送される英会話番組に対応する英語テキストなどのコンテンツを毎日１つのペーパー状表示媒体上に表示することができ、紙資源の節約ができると共に、当該英語テキストを紙媒体に製本する必要がないため、コストを大幅に削減することができる。
【００１６】
上記の情報提供システムの他の一態様では、前記利用者の任意情報は、前記利用者が記録装置を使用してペーパー状表示媒体に記録することにより設定され、前記記録は書き換え可能である。これによれば、利用者は所定の記憶装置を使用してペーパー状表示媒体上に任意の情報を記録することにより、当該任意の情報を設定することができる。そして、当該記録は書き換え可能である。よって、利用者は、任意情報を１度設定しても、自身の状況等の変化に伴って、自由に当該任意情報を変更することが可能である。
【００１７】
上記の情報提供システムの他の一態様では、前記利用者の任意情報は、ペーパー状表示媒体の有する複数のチェックボックスから１つを選択して記録することにより設定される。これによれば、利用者は、ペーパー状表示媒体上の複数のチェックボックスから１つを選択し、記録装置を使用して、例えば、当該チェックボックスに×印を記録すること等により、簡便に任意情報を設定することができる。
【００１８】
上記の情報提供システムのさらに他の一態様では、前記ペーパー状表示媒体は、前記コンテンツを表示するためのコンテンツ表示部と、前記コンテンツコードを変更不能な状態で記録する不変コード記録部と、前記利用者の任意情報を記録するための任意情報記録部と、を備える。これにより、利用者はペーパー状表示媒体上の任意情報記録部に所定の記録をすることにより、任意情報を設定することができる。また、コンテンツコードが不変コード記録部に記録されていることで、利用者によるコンテンツコードの不正な改竄を防止することができる。
【００１９】
本発明の他の観点では、情報提供システムは、データ放送番組及び当該データ放送番組に対応する番組コードを受信する番組受信手段と、番組コードが記録されているペーパー状表示媒体から番組コードを読み取る番組コード読取手段と、前記番組コード読取手段が読み取った番組コードに対応するデータ放送番組を再生する番組再生手段と、前記再生手段により再生されたデータ放送番組に関する時間情報を算出する時間情報算出手段と、放送波を通じて、コンテンツ及び当該コンテンツに対応するコンテンツコードを受信するコンテンツ受信手段と、前記コンテンツ及び前記コンテンツコードを記憶するコンテンツ記憶手段と、コンテンツコードが記録されているペーパー状表示媒体からコンテンツコードを読み取るコンテンツコード読取手段と、表示許可情報が記録されているペーパー状表示媒体から表示許可情報を読み取る表示許可情報読取手段と、前記コンテンツコード読取手段が読み取ったコンテンツコードに対応するコンテンツを前記コンテンツ記憶手段から取得するコンテンツ取得手段と、前記データ放送番組の再生の有無、前記時間情報算出手段による前記時間情報及び表示許可時間読取手段による表示許可情報に基づいて、前記コンテンツ取得手段が取得したコンテンツをペーパー状表示媒体上に表示する制御手段と、を備える。
【００２０】
上記のように構成された情報提供システムは、例えば、放送局から送信される放送波を利用して、データ放送番組及びそのデータ放送番組に対応する番組コードを利用者の家庭などに送信する。ここで、データ放送番組は、例えば英会話番組その他とすることができ、番組コードはそのデータ放送番組に対して一意に付与されたコードとすることができる。なお、本発明においてデータ放送番組は、インターネット等により配信される番組も含むものとする。
【００２１】
一方、情報提供システムは、例えば、放送局から送信される放送波を利用して、コンテンツ及びそのコンテンツに対応するコンテンツコードを利用者の家庭などに送信する。コンテンツは、例えば英会話番組に対応する英語テキストその他の情報とすることができ、コンテンツコードはそのコンテンツに対して一意に付与されたコードとすることができる。
【００２２】
また、同様の番組コード、コンテンツコード、表示許可情報が予め記録されたペーパー状表示媒体は、販売又は無料配布などの方法により利用者に提供される。利用者がペーパー状表示媒体を家庭の放送受信機などにセットすると、当該放送受信機は、番組コード読取手段、コンテンツコード読取手段、及び、表示許可情報読取手段により、番組コード、コンテンツコード、及び、表示許可情報を読み取る。
【００２３】
情報提供システムは、読み取った番組コードに対応するデータ放送番組を再生する。そして、時間情報算出手段により、再生されたデータ放送番組に関する時間情報を算出する。また、情報提供システムは、読み取ったコンテンツコードに対応するコンテンツをコンテンツ記憶手段から取得し、読み取った表示許可情報、及び、時間情報算出手段により算出された時間情報に基づいて、当該コンテンツをペーパー状表示媒体上に表示する。
【００２４】
これによれば、例えば、コンテンツ提供会社が予めペーパー状表示媒体に記録された表示許可時間を設定することで、利用者の任意のタイミングではなく、当該コンテンツ提供会社の任意のタイミングで、該当するコンテンツを当該ペーパー状表示媒体上に表示させることができる。
【００２５】
上記の情報提供システムの他の一態様では、前記時間情報は、前記データ放送番組の再生開始後に経過した時間であり、前記表示許可情報は、コンテンツの表示を許可するために前記データ放送番組の再生開始後に経過した一定の時間であって、前記制御手段は、前記時間情報が前記表示許可情報を上回った場合に限り、前記コンテンツをペーパー状表示媒体に表示する。これによれば、データ放送番組の再生開始を基準として、例えば、コンテンツ提供会社は、表示許可情報を設定することができる。よって、データ放送番組の再生開始を基準として、利用者の任意のタイミングではなく、当該コンテンツ提供会社の任意のタイミングで、該当するコンテンツを当該ペーパー状表示媒体上に表示させることができる。
【００２６】
上記の情報提供システムのさらに他の一態様では、前記表示許可情報は、１つのコンテンツに対して複数設定することが可能である。これによれば、例えば、コンテンツが英会話番組に対応する英語テキストの場合、当該英会話番組の進行に従って、番組開始５分後に英文、番組開始８分後に文法、そして、番組開始１０分後に日本語訳を当該英語テキストとしてペーパー状表示媒体に表示することが可能である。よって、コンテンツ提供会社は表示許可時間を詳細に設定することができ、利用者の任意のタイミングではなく、当該コンテンツ提供会社の任意のタイミングで、該当するコンテンツを当該ペーパー状表示媒体上に表示させることができる。
【００２７】
上記の情報提供システムのさらに他の一態様では、前記番組再生手段は、前記番組受信手段が受信した前記データ放送番組及び当該データ放送番組に対応する番組コードを記憶する番組記憶手段と、前記番組コード読取手段が読み取った番組コードに対応するデータ放送番組を前記番組記憶手段から取得して再生する手段と、を備える。これによれば、情報提供システムは、例えば放送局から送信される放送波を利用して受信した、データ放送番組及び当該データ放送番組に対応する番組コードを記憶する。そして、番組コード読取手段が読み取った番組コードに対応するデータ放送番組を、番組記憶手段から取得して再生する。よって、利用者は、番組記憶手段により所定のデータ放送番組及び当該データ放送番組に対応する番組コードが既に記憶されていれば、時間を選ばず、いつでも当該データ放送番組を再生することができる。
【００２８】
上記の情報提供システムのさらに他の一態様では、前記番組再生手段は、前記番組受信手段がリアルタイムで受信しているデータ放送番組を再生する。これによれば、例えば放送局が放送波を利用して、データ放送番組を送信している場合、情報提供システムは、当該データ放送番組を受信しながら再生を行う。よって、当該データ放送番組等を情報提供システムに予め記憶する必要がないため、当該データ放送番組の再生処理を迅速に行うことができる。
【００２９】
本発明のさらに他の観点では、ペーパー状表示媒体は、コンテンツに付与されたコンテンツコードを、変更不能な状態で記録した不変コード記録部と、前記コンテンツを表示するための記録部と、前記利用者の任意情報を記録するための任意情報記録部と、を備える。これにより、利用者はペーパー状表示媒体上の任意情報記録部に所定の記録をすることにより、任意情報を設定することができる。また、コンテンツコードが不変コード記録部に記録されていることで、利用者によるコンテンツコードの不正な改竄を防止することができる。
【００３０】
上記のペーパー状表示媒体の他の一態様では、前記任意情報記録部はチェックボックスであり、前記任意情報は、利用者が記録装置を使用して、前記チェックボックスに記録することにより設定される。これによれば、利用者は、ペーパー状表示媒体上の複数のチェックボックスから１つを選択し、記録装置を使用して、例えば、当該チェックボックスに×印を記録すること等により、簡便に任意情報を設定することができる。
【００３１】
上記のペーパー状表示媒体のさらに他の一態様では、前記不変コード記録部は、さらに、前記コンテンツをペーパー状表示媒体上に表示する際の時間的制限である表示許可情報が記録されている。これによれば、例えば、コンテンツ提供会社が予めペーパー状表示媒体に記録された表示許可時間を設定することで、利用者の任意のタイミングではなく、当該コンテンツ提供会社の任意のタイミングで、該当するコンテンツを当該ペーパー状表示媒体上に表示させることができる。
【００３２】
【発明の実施の形態】
以下、図面を参照して本発明の好適な実施の形態について説明する。
【００３３】
［情報提供システムの概略構成］
図１に本発明の実施形態にかかる情報提供システムの概略構成を示す。図１において、情報提供システムは、ユーザ環境１、コンテンツ提供会社１３、コード管理センター１４、放送局１６、人工衛星１７、地上波デジタル放送基地２０及びコード記録会社１８により構成されている。
【００３４】
コンテンツ提供会社１３は、教育番組制作会社であり、教育番組を制作し、放送局１６に納品している。教育番組とは、例えば、英語やフランス語などの語学番組とする。また、コンテンツ提供会社１３は、蓄積型データ放送サービスを利用して所定の語学番組に対応する語学テキストの情報をユーザに提供するために、当該語学テキストの情報に対応するデータ放送コンテンツ（以下、「コンテンツ」と呼ぶ。）を作成し放送局１６に納品している。
【００３５】
一方、コード管理センター１４は、コンテンツ提供会社１３から語学テキストの情報に対応するコンテンツに含まれる属性データを受け取り、当該属性データに基づいて、コンテンツの識別情報となるコンテンツコードを作成する。コンテンツコードは、コンテンツ提供会社１３を介して放送局１６へ納品される。また、コンテンツコードは、コード記録会社１８へも通知される。なお、コード管理センター１４は、コンテンツ提供会社１３から受け取った属性データ及び自身が作成したコンテンツコードをペアで管理データベース（以下「ＤＢ」と呼ぶ。）１５に記憶する。
【００３６】
コード記録会社１８は、ペーパー状表示媒体にコード管理センター１４から通知されたコンテンツコードを記録する。さらに、コード記録会社１８は、コード記録済ペーパー状表示媒体１９をユーザに販売できるように流通機構へのせる。例えば、コード記録済ペーパー状表示媒体１９は、書店やコンビニエンスストアにおいて販売されることが考えられる。
【００３７】
一方、放送局１６は、コンテンツ提供会社１３に納品された属性データ、コンテンツデータ及びコンテンツコードから構成されるコンテンツを、蓄積型データ放送サービスを利用し、人工衛星１７や地上波デジタル放送基地２０を介してユーザ環境１に提供する。また、放送局１６は、コンテンツ提供会社１３に納品された語学番組をデータ放送番組としてユーザ環境１に提供する。
【００３８】
ユーザ環境１において、ユーザは受信装置２により、放送局１６から人工衛星１７や地上波デジタル放送基地２０を介して提供された蓄積型データ放送サービスを行うデジタル放送を受信し、データ放送番組やコンテンツをディスプレイ５上で視聴、閲覧することができる。受信装置２は、受信した語学番組やコンテンツを記録し、蓄積している。
【００３９】
また、ユーザは、コード記録会社１８が製造し、書店やコンビニエンスストアで販売されているコード記録済ペーパー状表示媒体１９を購入する。そして、ユーザは、ユーザ環境１の表示制御装置４により、コード記録済ペーパー状表示媒体１９に記録されているコンテンツコードに対応するコンテンツを、コード記録済ペーパー状表示媒体１９に表示することができる。なお、詳細は後述するが、ユーザは、コード記録済ペーパー状表示媒体１９に表示する情報を、当該コンテンツの中から選択することができる。
【００４０】
ユーザ環境１は、受信装置２、リモコン３、表示制御装置４、ディスプレイ５及び記録装置２１から構成されている。ユーザ環境とは、本発明において情報提供を受けるユーザの保有する、蓄積型データ放送サービス関連の装置の構成である。即ち、ユーザ環境は、蓄積型データ放送サービスを行うデジタル放送を受信することができる各家庭の環境である。
【００４１】
受信装置２は、アンテナ１０を有し、ハードディスク６、チューナー７、コントローラ８及びコンテンツリスト９を内蔵しており、リモコン３が付属されている。アンテナ１０は、デジタル放送を受信するために必要なアンテナである。また、ユーザはリモコン３又はディスプレイ５上の画面タッチパネル等によって、任意に受信装置２を操作することができる。詳細は後述するが、具体的にユーザは、リモコン３又はディスプレイ５上の画面タッチパネル等により、本発明でユーザに提供される語学テキストの情報選択等を行う。
【００４２】
ハードディスク６は、ユーザエリア及びサービスエリアから構成される。ユーザエリアは、デジタル放送の視聴者であるユーザが任意に放送番組の録画等を行うことができるエリアである。一方、サービスエリアは、蓄積型データ放送番組やコンテンツをユーザの意図とは無関係に蓄積することができるエリアである。例えば、本発明の語学番組は、定期的にサービスエリアに蓄積されている。なお、本発明において、ハードディスク６は、上記の構成に限られるものではない。よって、ユーザエリア、サービスエリア、又は他のエリア等によって構成されるハードディスクにおいて、所定の放送番組やコンテンツを、どのエリアに録画又は蓄積するかは任意である。
【００４３】
コンテンツとは、新聞や雑誌の記事、イラストや写真などの画像データ、音声ファイル、ムービーなどを電子データ化した流通価値のあるものをいう。ここでコンテンツは、データ放送番組に関連する１つのパーツであり、ディスプレイ５上で閲覧することができる。本発明でユーザに提供する語学テキストの情報は、コンテンツとしてハードディスク６のサービスエリア内に蓄積される。
【００４４】
チューナー７は、蓄積型データ放送サービスを行うデジタル放送の電波を受信し、データ放送番組やコンテンツとしてディスプレイ５に接続するための映像と音声を出力する。
【００４５】
コントローラ８は、マイクロプロセッサを主体としたＣＰＵで構成されており、受信装置２の全体を制御する。
【００４６】
コンテンツリスト９は、図３に示すように、コンテンツコード、コンテンツ名及びバックナンバーから構成されており、ハードディスク６のサービスエリア内に蓄積されたコンテンツの情報をリスト化して記憶している。
【００４７】
表示制御装置４は、識別コントローラ１１及びコードリーダ１２を内蔵している。識別コントローラ１１は、マイクロプロセッサを主体としたＣＰＵで構成されており、表示制御装置４の動作を制御する。コードリーダ１２は、コード記録済ペーパー状表示媒体１９に記録された識別情報であるコンテンツコードを読み取る。即ち、表示制御装置４は、まずコードリーダ１２によってコード記録済ペーパー状表示媒体１９に記録された識別情報を読み取り、当該識別情報に基づいて、識別コントローラ１１が表示制御装置４を制御する。表示制御装置４は、識別コントローラ１１の制御により、コンテンツリスト９を参照した後、ハードディスク６から、コード記録済ペーパー状表示媒体１９に記録されたコンテンツコードに対応するコンテンツを抽出する。そして、表示制御装置４は、コード記録済ペーパー状表示媒体１９に記録されたコンテンツコードに対応するコンテンツをコード記録済ペーパー状表示媒体１９に表示する。
【００４８】
ディスプレイ５は、チューナー７を介して、データ放送番組やコンテンツの映像、画像又は音声を出力する。ディスプレイ５は、典型的には各家庭におけるテレビモニタである。
【００４９】
記録装置２１は、ユーザがコード記録済ペーパー状表示媒体１９が有するチェックボックスを選択し、印をつける際に使用する。ここで、図４に示すように、チェックボックス３６とは、コード記録済ペーパー状表示媒体１９に表示するコンテンツのレベルを選択し、ユーザの任意情報として設定する際に、ユーザが印をつけ、記録する部分である。記録装置２１は、コード記録済ペーパー状表示媒体１９の特性に基づいた機能を備えており、当該チェックボックス３６に印を記録することができる。例えば、コード記録済ペーパー状表示媒体１９が、詳細は後述するが、ロイコ系可逆性感熱記録方式であれば、記録装置２１は熱処理を加える機能が備えている。なお、記録装置２１によって記録された印は、表示制御装置４において消去可能であり、ユーザは再びコード記録済ペーパー状表示媒体１９に印をつけることが可能である。
【００５０】
［コンテンツ］
図２（ａ）にコンテンツフォルダの記録場所を示す。コンテンツとは、蓄積型データ放送サービスを利用してユーザに提供する情報であり、コンテンツとして提供される情報は、コンテンツコード、属性データ及びコンテンツデータである。ここで、コンテンツコードは、所定のコンテンツに対して一意に付与された識別情報である。また、コンテンツコードは、当該コンテンツの属性データに基づいてコード管理センター１４が作成するものであり、詳細は後述するが、コード記録済ペーパー状表示媒体に記録された不変コードに含まれる。なお、本実施形態では、コンテンツは、ペーパー状表示媒体への表示が可能なデジタルデータとして編集済のものとしてユーザに提供されるものとする。
【００５１】
コンテンツフォルダとは、ユーザ環境１における受信装置２が放送局１６からコンテンツを受信した後、ハードディスク６内においてコンテンツの情報を記録するフォルダである。
【００５２】
蓄積型データ放送サービスは、データ放送番組やコンテンツを受信装置２に内蔵されたハードディスク６のサービスエリア内へ蓄積する。ハードディスク６のサービスエリア内は、図２（ａ）に示すように、階層構造となっており、ルートディレクトリ配下にユーザの意図に関係なく蓄積されるデータ放送番組（以下、「蓄積番組」と呼ぶ。）が複数記録されている。コンテンツ提供会社１３から放送局１６に納品された語学番組は、サービスエリア内に蓄積される。なお、蓄積番組は、一意な識別情報である番組コードを有している。
【００５３】
また、複数の蓄積番組と同じ階層に、動画以外の付属的なデータ、例えばコンテンツ等の静止画を記録するサービスディレクトリが記録されている。なお、ユーザが任意でコンテンツや番組を記録したい場合は、ハードディスク６のユーザエリア内に記録する。
【００５４】
サービスディレクトリは、さらに階層構造となっており、サービスディレクトリ配下にコンテンツフォルダＡをはじめとする複数のコンテンツフォルダが記録されている。具体的に、語学テキストの情報に対応するコンテンツである場合について説明する。コンテンツフォルダＡは、図２（ａ）に示すように、さらに階層構造となっており、コンテンツフォルダ配下に受講用コンテンツフォルダ、復習用コンテンツフォルダが記録されている。なお、コンテンツフォルダ名は、コンテンツコードとするなど任意に設定することができる。例えば、語学テキストの情報に対応するコンテンツのコンテンツコードが「００１Ａ」である場合、コンテンツフォルダＡの名称を「００１Ａ」としてもよい。
【００５５】
語学テキストの情報に対応するコンテンツは、対応する語学番組と合わせて参照するものであり、ユーザが当該語学番組をユーザ環境１において閲覧している場合、コード記録済ペーパー状表示媒体１９に表示するコンテンツは受講用コンテンツデータである。一方、ユーザが当該語学番組をユーザ環境１において閲覧していない場合、コード記録済ペーパー状表示媒体１９に表示するコンテンツは復習用コンテンツデータである。これによれば、語学番組を閲覧している際に参照するテキストと語学番組を閲覧後に参照するテキストが異なり、それぞれに適したテキストとなっているため、ユーザは効果的な学習をすることができる。
【００５６】
同じ語学番組を閲覧するユーザであっても当該語学の知識レベルが異なるため、語学テキストの情報を有するコンテンツは、当該ユーザのレベルに応じて上級、中級、初級の３つテキストの情報を有している。そのため、受講用コンテンツフォルダ、及び、復習用コンテンツフォルダは、さらに階層構造となっており、それぞれの配下に上級、中級、初級の３つのレベルに対応するコンテンツフォルダが記録されている。例えば、受講用コンテンツフォルダ配下には、コンテンツフォルダ受講用上級、コンテンツフォルダ受講用中級、及び、コンテンツフォルダ受講用初級が記録されている。一方、復習用コンテンツフォルダ配下には、コンテンツフォルダ復習用上級、コンテンツフォルダ復習用中級、及び、コンテンツフォルダ復習用初級が記録されている。
【００５７】
そして、コンテンツフォルダ受講用上級をはじめとするコンテンツフォルダは、さらに階層構造となっており、それぞれのコンテンツフォルダ配下に複数のコンテンツデータが日付情報と共に記録されている。例えば、語学番組が毎日放送される場合、５月１日分の語学テキストに対応するコンテンツデータは、ユーザのレベルが上級であった場合、コンテンツデータ＿５／１＿受講上級、及び、コンテンツデータ＿５／１＿復習上級として該当するコンテンツフォルダ配下に記録される。
【００５８】
このように、語学テキストの情報を有するコンテンツは、受講用であるか復習用であるかといったコンテンツ種類、ユーザのレベル、及び日付に基づいた複数のコンテンツデータにより構成されている。よって、図２（ａ）に示すように、コンテンツフォルダＡ配下をさらに階層構造にすることで、複数のコンテンツデータの管理を容易にしている。
【００５９】
図２（ｂ）にコンテンツフォルダＡに記録されているコンテンツの情報を示す。なお、コンテンツフォルダＡに記録されているコンテンツの情報は、本実施形態では英会話番組に対応する英語テキストの情報であるとする。
【００６０】
コンテンツは、属性データ、複数のコンテンツデータ及びコンテンツコードから構成されており、属性データ及びコンテンツデータはコンテンツ提供会社１３が作成し、コンテンツコードはコード管理センター１４が作成する。属性データは、コンテンツ名、対応番組コード、コンテンツ種類、及び、レベルから構成されている。コンテンツ名は、コンテンツの一般名称であり、本実施形態では、コンテンツの情報が英会話番組に対応する英語テキストの情報であるため「英会話Ａ」とする。また、対応番組コードは、当該コンテンツの利用に合わせて閲覧する番組の番組コードである。即ち、対応番組コードは、当該コンテンツの利用に合わせて閲覧する番組の識別情報である。本実施形態では、コンテンツの情報が英会話番組であるため、当該英会話番組の識別情報である番組コード「００１」が対応番組コードとなる。なお、コンテンツの識別情報であるコンテンツコードと、対応番組コードとの関係は、必ずしも１対１である必要はない。例えば、１つのコンテンツコードに複数の対応番組コードを設定することもできるし、その逆も可能である。
【００６１】
コンテンツ種類は、当該コンテンツに含まれるコンテンツデータが受講用コンテンツデータであるか、復習用コンテンツデータであるかに基づいて細分化した情報である。これによれば、ユーザがコード記録済ペーパー状表示媒体１９に表示するコンテンツデータを選択する際、表示制御装置４は、コンテンツ種類に基づいて選択されたコンテンツデータを抽出することができるので、処理を迅速に行うことができる。
【００６２】
レベルは、英会話番組を閲覧し、当該コンテンツを利用して語学テキストを参照するユーザの英語における知識レベルであり、上級、中級、初級の３つのレベルが設定されている。当該英語テキストの情報は、それぞれのレベルに基づいて作成されており、例えば、初級レベルの場合は、英会話番組で使用している英単語が全て列挙され、且つ、全て日本語訳がついている。一方、上級レベルの場合、使用している英単語の中でも難しい熟語、及び、類似後や反意語が列挙されている。このように、同一の英会話番組であっても、ユーザはレベルに応じて異なるテキストを参照することができるので、効果的に学習を進めることができる。また、ユーザがコード記録済ペーパー状表示媒体１９に表示するコンテンツデータを選択する際、表示制御装置４は、レベルに基づいて選択されたコンテンツデータを抽出することができるので、処理を迅速に行うことができる。
【００６３】
コンテンツコードは、コンテンツ提供会社１３が通知した属性データに基づいてコード管理センター１４が作成するコンテンツの識別情報である。本実施形態におけるコンテンツフォルダＡに記録されているコンテンツコードは「００１Ａ」とする。
【００６４】
コンテンツデータは、英語テキストの内容に基づいた情報であり、コンテンツ種類、レベル及び日付の情報を有する。即ち、「コンテンツデータ＿５／１＿受講上級」は、英会話番組を閲覧しながら参照する５月１日分の英語テキストであり、且つ、ユーザの知識レベルが上級の情報である。例えば、英会話番組が毎日放送されている場合、コンテンツ提供会社１３は、当該番組の進行に合わせてコンテンツデータを毎日作成するため、放送局１６を介して、コンテンツフォルダＡ内に毎日新しいコンテンツデータが記録されていく。そのため、管理の便宜上、ハードディスク６内においてコンテンツデータは、図２（ａ）に示すように、コンテンツフォルダＡ配下にコンテンツ種類、レベル及び日付に基づき整理されて記録されている。
【００６５】
なお、放送局１６は、コンテンツ提供会社１３の要望により、蓄積型データ放送サービスを利用してコンテンツをユーザへ提供する際、同時に、コンテンツの情報を記録するコンテンツフォルダの記録場所の情報をデータとして添付することができる。これによれば、所定のコンテンツの情報が、コンテンツ提供会社１３の望む記録場所に自動的に記録される。また、コンテンツの情報及び記録場所の情報は、ユーザによる改竄防止のため記号化されており、ユーザには解読不能となっている。
【００６６】
また、受信装置２におけるハードディスク６内のサービスディレクトリ配下には、ユーザがコード記録済ペーパー状表示媒体１９を購入するか否かを問わず、複数のコンテンツ提供会社から放送局１６を介して蓄積型データ放送サービスを利用し、複数のコンテンツが記録され、蓄積されている。即ち、本実施形態における英会話番組は、コンテンツ提供会社１３から放送局１６を介して、例えば、毎日蓄積されている。
【００６７】
［コンテンツリスト］
コンテンツリスト９は、図３に示すように、コンテンツコード、コンテンツ名、バックナンバー及び備考から構成されている。コンテンツリスト９は、ハードディスク６内のサービスディレクトリ配下に蓄積されたコンテンツを、管理の便宜上リスト化して記憶している。
【００６８】
コンテンツコードは、コンテンツの識別情報である。蓄積型データ放送サービスを利用してコンテンツが、ハードディスク６のサービスディレクトリ配下のコンテンツフォルダに蓄積されると、図２（ｂ）に示すように、コンテンツの情報としてコンテンツコードが記録される。コンテンツコードは属性情報に基づいてコード管理センター１４が作成するものであり、コンテンツはコンテンツコードにより一意に定められている。
【００６９】
そのため、コンテンツリスト９はコンテンツコードをキーとして構成され、ハードディスク６のサービスディレクトリ配下のコンテンツフォルダに蓄積されたコンテンツの情報に基づいて、コンテンツ名、バックナンバー及び備考を記憶する。バックナンバーとは、所定のコンテンツコードに対応する複数のコンテンツデータの全てである。また、備考とは、所定のコンテンツコードに対応する属性データに基づいて情報をさらに細分化したものである。具体的に本実施形態では、図３に示すように、バックナンバーは英会話のテキストであり、且つ、コンテンツ種類、レベル及び日付に基づいて細分化された複数のコンテンツデータである。また、備考は、対応番組コード、コンテンツ種類及びレベルであり、属性データに基づいて記録されている。なお、コンテンツリスト９は、蓄積型データ放送サービスを利用して、コンテンツである属性データ、コンテンツデータ、又は、コンテンツコードが提供される度に更新される。
【００７０】
これによれば、ハードディスク６におけるサービスエリア内のサービスディレクトリには複数のコンテンツが記録され、さらに１つのコンテンツに複数のコンテンツデータが存在するにも関わらず、コンテンツリスト９を確認することにより、簡便に現在記録されているコンテンツの情報を把握することができる。
【００７１】
［ペーパー状表示媒体］
図４（ａ）にコード記録済ペーパー状表示媒体１９の構成を示す。コード記録済ペーパー状表示媒体１９とは、後述する不変コード３１及び可変コード３２が記録されたペーパー状表示媒体をいい、コード記録会社１８によって流通機構にのせられ、書店やコンビニエンスストアなどを介してユーザに販売される。なお、ペーパー状表示媒体とは、紙のように薄く、ある程度の柔軟性を持ち、何度でも書き換え可能な表示媒体であり、一般に電子ペーパー若しくはデジタルペーパーなどと呼ばれるものを含む。
【００７２】
書き換え可能とは、ロイコ系可逆性感熱記録方式であれば、ペーパー状表示媒体に熱処理等を加えることで、一度表示した内容を消去した上で、新しい情報を表示することを意味する。具体的には、コンテンツデータ＿５／１＿受講上級に基づいて５月１日の上級レベルの英会話テキストを表示した後、同じ表示媒体に、コンテンツデータ＿５／２＿受講上級に基づいて５月２日の上級レベルの英会話テキストを表示することができる。この場合、５月１日の英会話テキストは当該表示媒体上には一切残らない。ペーパー状表示媒体は、例えばロイコ系可逆性感熱記録方式のものであれば、５００回程度は書き換え可能であるため、保存はできないが、再利用により資源を効率的に使用することができる。なお、ペーパー状表示媒体としては、ロイコ系可逆性感熱記録方式による表示媒体、高分子分散型液晶、カイラルネステック液晶、コレステリック液晶による表示体、又は、電気泳動方式による表示媒体など種々の表示媒体を利用することができる。
【００７３】
図４（ａ）に示すように、コード記録済ペーパー状表示媒体１９は、不変コード３１、可変コード３２、使用制限回数３３、使用回数３４、チェックボックス３６及びコンテンツ表示エリア３５から構成されている。
【００７４】
不変コード３１とは、ペーパー状表示媒体において何度書き換えを行っても、一切変化することのない不変な情報である。図４（ｂ）に不変コード３１が有する情報を示す。不変コード３１は、コンテンツコード、使用制限回数、対応番組コード、表示許可時間、及び、ペーパー状表示媒体のデータにより構成されており、コード記録会社１８において、ペーパー状表示媒体に記録される。
【００７５】
コンテンツコードは、コンテンツ提供会社１３が通知した属性データに基づいて、コード管理センター１４が作成するコンテンツの識別情報である。コード記録会社１８は、詳細は後述するが、コード管理センター１４よりコンテンツデータの通知を受ける。本実施形態における英語テキストについてのコンテンツコードは「００１Ａ」である。なお、ペーパー状表示媒体は、無料コンテンツ以外では、記録された不変コード３１に含まれるコンテンツコードに対応するコンテンツのみを表示することができる。
【００７６】
使用制限回数３３は、ペーパー状表示媒体に記録された不変コード３１に含まれるコンテンツコードに対応するコンテンツを表示することができる回数である。ユーザが無制限に当該コンテンツを表示することができるとすると、ユーザからの料金の徴収が複雑となるため、一定の使用制限回数を設けている。なお、使用制限回数を超えると、ペーパー状表示媒体において当該コンテンツの表示はできなくなるが、無料コンテンツの表示は可能である。即ち、使用制限回数は、ペーパー状表示媒体の耐用回数とは無関係である。これによれば、コード記録済ペーパー状表示媒体１９は、不変コード３１に含まれるコンテンツコードに対応するコンテンツの表示ができなくなっても、耐用回数以上でなければ、無料コンテンツの表示をする表示媒体として再利用することができる。
【００７７】
また、使用制限回数３３は、コンテンツ提供会社１３が設定することが考えられるが、コード記録会社１８や放送局１６が設定し、コード記録会社１８に通知しても構わない。
【００７８】
対応番組コードは、ユーザがコンテンツを所定のデータ放送番組と連動して利用する場合における、当該放送番組の識別情報である。本実施形態では、英会話番組に対応する英語テキストの情報をコンテンツとしてユーザに提供しているため、対応番組コードは当該英会話番組の番組コードである「００１」となる。
【００７９】
表示許可時間は、ユーザがコンテンツに対応する番組を閲覧している場合に、当該番組の進行に応じて設定されており、コード記録済ペーパー状表示媒体１９にユーザが選択したコンテンツデータを表示することが可能な時間情報である。例えば、コンテンツ提供会社１３が１５分間の英会話番組を提供しており、当該番組の進行上開始８分間はネイティブスピーカーの会話である場合、ユーザに当該会話の終了まで何も参照せずにヒアリングをさせるためには、開始１０分後に当該コンテンツの表示許可時間を設定すればよい。これによれば、ユーザの任意のタイミングで英会話番組に対応する英語テキストをコード記録済ペーパー状表示媒体１９に表示することができないため、コンテンツ提供会社１３の考える効果的な学習をユーザに提供することができる。なお、復習用のコンテンツデータは、ユーザが当該番組を閲覧していない時にコード記録済ペーパー状表示媒体１９に表示するので、表示許可時間に関わらず、表示することができる。
【００８０】
不変コードに含まれるペーパー状表示媒体のデータは、当該コンテンツをペーパー状表示媒体上に表示する過程で必要となるメーカーや表示制御特性といったペーパー状表示媒体自身の情報である。具体的には、所定のペーパー状表示媒体が感熱発色することにより表示を行う場合は、感熱ヘッドの設定温度等が不変コード３１に情報として含まれる。
【００８１】
可変コード３２とは、ペーパー状表示媒体の利用過程で変化する可変な情報であり、図４（ｃ）に示すように、ユーザの操作によって変化する使用回数などである。可変コード３２は、コード記録会社１８において、ペーパー状表示媒体に記録される。使用回数は、ユーザが、不変コード３１に含まれるコンテンツコードと一致するコンテンツを、コード記録済ペーパー状表示媒体１９に表示した回数である。即ち、無料コンテンツを当該コード記録済ペーパー状表示媒体１９に表示した回数は含まれず、不変コード３１に含まれるコンテンツコードに対応するコンテンツを表示すると使用回数は増加する。
【００８２】
ペーパー状表示媒体に表示される使用制限回数３３は、不変コード３１に含まれている使用制限回数であり、使用回数３４は可変コード３２に含まれる使用回数である。本実施形態では、例えば使用制限回数は「５０」とする。不変コード３１及び可変コード３２は、ユーザによる改竄防止のため記号化されており、ユーザには解読不能となっている。そのため、ユーザが使用制限回数３３及び使用回数３４を視覚的に認識できるように、ペーパー状表示媒体上に表示している。使用回数は、可変コード３２に含まれる使用回数の変化に伴って変化する。
【００８３】
チェックボックス３６は、コード記録済ペーパー状表示媒体１９に表示するコンテンツのレベルを選択し、利用者の任意情報として設定する際に印をつけ、記録する部分である。記録装置２１は、コード記録済ペーパー状表示媒体１９の特性に基づいた機能を備えており、当該チェックボックス３６に印を記録することができる。
【００８４】
コンテンツ表示エリア３５は、コンテンツを表示するエリアである。即ち、不変コード３１に含まれるコンテンツコードに対応するコンテンツ若しくは無料コンテンツを表示するためのエリアである。
【００８５】
なお、不変コード３１又は可変コード３２におけるコードとしては、バーコード又は２次元コードをペーパー状表示媒体に記録する方法、若しくは、ＲＦＩＤ（Ｒａｄｉｏ　Ｆｒｅｑｕｅｎｃｙ　ＩＤｅｎｔｉｆｉｃａｔｉｏｎ　Ｓｙｓｔｅｍ）をペーパー状表示媒体に組み込む方法など種々の方法を利用することができる。
【００８６】
［コードの記録］
次に、不変コード３１及び可変コード３２のペーパー状表示媒体への記録について図５を参照して説明する。図５は、不変コード３１及び可変コード３２の記録後におけるペーパー状表示媒体の物理的構造を示す断面図である。
【００８７】
まず、図５（ａ）に示すように、コードがバーコード（２次元バーコード含む。）であった場合、フィルムや紙等の基材４０の上に不変コード３１を記録し、ロイコ染料をはじめとする感熱発色剤４１をコーティングする。そして、可変コード３２は、感熱発色剤４１によるコーティングの上から記録する。
【００８８】
なお、図５（ｂ）に示すように、不変コードがＲＦＩＤであった場合、フィルムや紙等の基材４０に不変コードを記憶したチップ３１ａを組み込み、ロイコ染料をはじめとする感熱発色剤４１をコーティングすることができる。そして、可変コード３２は、感熱発色剤４１によるコーティングの上から記録することができる。また、可変コードをＲＦＩＤとして、ペーパー状表示媒体に組み込むこともできる。その場合、図５（ｃ）に示すように、可変コードを記憶したチップ３２ａは、基材４０に組み込まれる。さらに、図５（ｃ）における、不変コード用ＲＦＩＤ３１ａと可変コード用ＲＦＩＤ３２ａを１つのチップで構成することもできる。
【００８９】
所定のコンテンツ等をはじめとするペーパー状表示媒体に表示される書き換え可能な情報は、コーティングしている感熱発色剤４１上に表示される。即ち、基材４０ではなく、感熱発色剤４１に表示されている。そのため、感熱発色剤４１に記録された可変コード３２も書き換え可能なコードとなる。
【００９０】
一方、不変コード３１は、基材４０に記録されているため、感熱発色剤４１において何度情報が書き換えられても、不変コード３１が変化することはない。また、チップ３１ａなどに記憶された不変コードも同様である。
【００９１】
［情報提供処理］
次に、図１に示す情報提供システムを利用した情報提供処理について、図６乃至図１０を参照して説明する。図６は、ユーザが表示対象物を選択する際の表示画面であり、図３に示すコンテンツリストに基づいてユーザ環境１内のディスプレイ５に表示される。また、図７は、情報提供処理のメインルーチンであり、図８は図７におけるコンテンツ蓄積処理のサブルーチンである。また、図９は図７におけるペーパー状表示媒体処理のサブルーチンであり、図１０は図７における表示制御処理のサブルーチンである。
【００９２】
図７によれば、情報提供処理では、まず、コンテンツ蓄積処理が行われる（ステップＳ１）。コンテンツ蓄積処理は、コンテンツ提供会社１３によって作成された属性データが、コード管理センター１４によって作成されたコンテンツコードと共にコンテンツとして放送局１６に納品され、さらに、コンテンツが放送局１６を介してユーザ環境１における受信装置２のハードディスク６内に記録される処理であり、その詳細を図８を参照して説明する。
【００９３】
まず、コンテンツ提供会社１３は、提供するコンテンツの情報に基づいて属性データを作成し、コード管理センター１４へ通知する（ステップＳ１０）。コード管理センター１４は、属性データを受け取り、当該属性データに基づいてコンテンツの識別情報であるコンテンツコードを作成する（ステップＳ１１）。さらに、コード管理センター１４は、作成したコンテンツコードをキーとし当該属性データを対応付けて、管理ＤＢ１５に記録する（ステップＳ１２）。これによれば、コード管理センター１４は、管理ＤＢ１５の情報に基づいて、今までに作成したコンテンツコードを属性データと対応付けて簡便に確認することができる。そして、コード管理センター１４は、作成したコンテンツコードをコンテンツ提供会社１３に通知する（ステップＳ１３）。
【００９４】
コンテンツ提供会社１３は、コード管理センター１４からコンテンツコードを受け取る。そして、コンテンツ提供会社１３は、ステップＳ１０で作成した属性データ、及び、コード管理センター１４から受け取ったコンテンツコードを放送局１６へ納品する（ステップＳ１４）。放送局１６は、蓄積型データ放送サービスを利用し、コンテンツ提供会社から受け取った属性データ及びコンテンツコードを、人工衛星１７や地上波デジタル放送基地２０を介してユーザ環境１へ提供する（ステップＳ１５）。
【００９５】
ユーザ環境１において、受信装置２は、アンテナ１０により属性データ及びコンテンツコードを含む放送波を受信する。そして、受信装置２のコントローラ８は、受信した放送波中の属性データ及びコンテンツコードを、図２（ａ）に示す、ハードディスク６内のコンテンツフォルダＡに記録する（ステップＳ１６）。さらに、コントローラ８は、当該属性データ及びコンテンツコードに基づいて、図３に示す、コンテンツリスト９を作成し、コンテンツコード及びコンテンツ名を記録する（ステップＳ１７）。
【００９６】
一方、コンテンツ提供会社１３は、コンテンツデータを作成し、放送局１６へ納品する（ステップＳ１８）。本実施形態において、コンテンツは毎日放送される英会話番組に対応する英語テキストの情報であるため、コンテンツ提供会社１４において、コンテンツデータは毎日作成される。即ち、放送局１６には、毎日コンテンツデータが納品される。なお、当該英会話番組も、コンテンツ提供会社１３が制作し、放送局１６へ納品される。
【００９７】
放送局１６は、コンテンツ提供会社１３から、毎日、新しいコンテンツデータを受け取り（ステップＳ１９）、蓄積型データ放送サービスを利用して、新しいコンテンツデータをユーザ環境１に提供する（ステップＳ２０）。ユーザ環境１において、受信装置２は、毎日、アンテナ１０より新しいコンテンツデータを受信する。そして、受信装置２のコントローラ８は、受信したコンテンツデータを、図２（ａ）に示す、コンテンツ種類、レベル及び日付に基づき、ハードディスク６内のコンテンツフォルダＡ配下の該当するコンテンツフォルダに記録する（ステップＳ２１）。コンテンツデータは、コンテンツ種類、レベル及び日付の情報を有しており、蓄積型データ放送サービスを利用して、毎日、該当するコンテンツフォルダ配下に記録され、蓄積されるものなので、管理上の便宜のためコンテンツフォルダＡ配下にコンテンツ種類、レベル及び日付に基づき整理して記録している。
【００９８】
なお、英会話番組も、毎日、コンテンツ提供会社１３から放送局１６へ納品され、蓄積型データ放送サービスを利用して、ユーザ環境１に提供されている。ユーザ環境１において、受信装置２のコントローラ８は、受信した当該番組を、図２（ａ）に示す、ハードディスク６のサービスエリア内に蓄積番組００１として記録する。
【００９９】
さらに、コントローラ８は、毎日、コンテンツフォルダ配下に記録されるコンテンツデータに基づいて、図３に示す、コンテンツリスト９におけるバックナンバーを記録する。なお、ステップＳ１８〜Ｓ２１の処理はコンテンツ提供会社のサービスが終了するまで繰り返される。
【０１００】
一方、図７に示すメインルーチンによれば、情報提供処理では、ペーパー状表示媒体処理が行われる（ステップＳ２）。ペーパー状表示媒体処理は、コード管理センター１４が作成したコンテンツコードをコード記録会社１８へ通知し、さらに、コード記録会社１８が、当該コンテンツコードや使用回数制限等の情報を不変コード３１及び可変コード３２としてペーパー状表示媒体に記録し、コード記録済ペーパー状表示媒体１９としてユーザに販売する処理であり、その詳細を図９を参照して説明する。
【０１０１】
まず、コード管理センター１４は、図８におけるステップＳ１１で作成したコンテンツコードを、コード記録会社１８へ通知し（ステップＳ３１）、コード記録会社１８は、当該コンテンツコードを受け取る（ステップＳ３２）。
【０１０２】
コード記録会社１８は、当該コンテンツコード、使用制限回数、対応番組コード、表示許可時間及びペーパー状表示媒体のデータを不変コード３１として、ペーパー状表示媒体に記録する（ステップＳ３３）。そして、コード記録会社１８は、ユーザの使用回数といったペーパー状表示媒体の利用過程で変化する可変な情報を可変コード３２として、ペーパー状表示媒体に記録する（ステップＳ３４）。さらに、コード記録会社１８は、ユーザの英語の知識レベルといった任意情報を設定するためのチェックボックス３６を記録する（ステップＳ３５）。
【０１０３】
そして、コード記録会社１８は、コード記録済ペーパー状表示媒体１９を販売し（ステップＳ３６）、ユーザは、書店やコンビニエンスストアなどを介してコード記録済ペーパー状表示媒体１９を購入する（ステップＳ３７）。
【０１０４】
コンテンツ蓄積処理（ステップＳ１）及びペ−パー状表示媒体処理（ステップＳ２）の後、図７に示すように情報提供処理では表示制御処理が行われる（ステップＳ３）。表示制御処理は、ユーザ環境１において、コード記録済ペーパー状表示媒体１９に所定のコンテンツを表示する処理であり、その詳細を図１０を参照して説明する。
【０１０５】
ユーザ環境１において、ユーザは、図９におけるステップＳ３７で購入したコード記録済ペーパー状表示媒体１９のチェックボックス３６を選択し、記録装置２１を使用して印をつける（ステップＳ４０）。例えば、ユーザは、英語の知識レベルが上級である場合、図４（ａ）に示すコード記録済ペーパー状表示媒体１９のチェックボックス３６において「上級」を選択し、印をつける。
【０１０６】
そして、ユーザは、チェックボックス３６を選択し、印を付けたコード記録済ペーパー状表示媒体１９を表示制御装置４へセットする（ステップＳ４１）。表示制御装置４のコードリーダ１２は、コード記録済ペーパー状表示媒体１９に記録された不変コード３１、可変コード３２、及び、チェックボックス３６を読み取り、情報を取得する（ステップＳ４２）。コードリーダ１２が読み取った情報は、不変コード３１については、図４（ｂ）に示すように、コンテンツコード、使用制限回数、対応番組コード、表示許可時間、及び、ペーパー状表示媒体のデータである。また、可変コード３２については、図４（ｃ）に示すように、使用回数などのペーパー状表示媒体の利用過程で変化する可変な情報である。また、チェックボックス３６については、ユーザの英語の知識レベルであり、本実施形態では「上級」とする。コードリーダ１２が読み取った不変コード３１、可変コード３２及びチェックボックス３６の情報は、表示制御装置４内に記録される。
【０１０７】
次に、表示制御装置４の識別コントローラ１１は、受信装置２のコンテンツリスト９を確認する（ステップＳ４３）。さらに、識別コントローラ１１は、ステップＳ４２で記録したコンテンツコードを表示制御装置４内から抽出し、コンテンツリスト９のコンテンツコードに一致するものが存在するか否かを判別する（ステップＳ４４）。ステップＳ４２で記録したコンテンツコードとは、ユーザが購入したコード記録済ペーパー状表示媒体１９に記録された不変コード３１から読み出したコンテンツコードである。即ち、ステップＳ４４では、当該コード記録済ペーパー表示媒体１９に記録された不変コード３１に含まれるコンテンツコードが、コンテンツリスト９内に存在するか否かを判別する。
【０１０８】
当該コード記録済ペーパー状表示媒体１９に記録された不変コード３１に含まれるコンテンツコードが、コンテンツリスト９内に存在しない場合は、表示制御装置４上で「表示できません」と表示する（ステップＳ４５）。一方、当該コード記録済ペーパー状表示媒体１９に記録された不変コード３１に含まれるコンテンツコードが、コンテンツリスト９のコンテンツコードと一致した場合は、ステップＳ４１で記録した不変コード３１に含まれる使用制限回数と可変コード３２に含まれる使用回数を表示制御装置４内から抽出し比較する（ステップＳ４６）。
【０１０９】
使用回数が使用制限回数と同じ若しくは多い場合は、表示制御装置４上で「表示できません」と表示する（ステップＳ４５）。一方、使用回数が使用制限回数より少ない場合、識別コントローラ１１は、受信装置２のコントローラ８から取得した情報に基づいて、現在ユーザが視聴中の放送番組の番組コードを抽出する（ステップＳ４７）。そして、識別コントローラ１１は抽出した番組コードと当該コード記録済ペーパー状表示媒体１９に記録された不変コード３１に含まれる対応番組コードが一致するか否かを判別する（ステップＳ４８）。
【０１１０】
まず、抽出した番組コードと対応番組コードが一致した場合について説明する。識別コントローラ１１は、コード記録済ペーパー状表示媒体１９に表示するコンテンツは受講用コンテンツであると認識する。そして、識別コントローラ１１は、ステップＳ４２で取得したコンテンツデータ及びチェックボックス３６の情報に基づいて、コンテンツリスト９からコンテンツ種類が受講用であり、且つ、レベルが上級であるバックナンバーを抽出する。そして、識別コントローラ１１は、図６に示すように、当該バックナンバーなどの情報をユーザが表示対象物を選択するための画面７０としてディスプレイ５上に表示する（ステップＳ４９）。
【０１１１】
ユーザは、図６に示すように、ディスプレイ５上に表示された画面７０からコード記録済ペーパー状表示媒体１９に表示する対象を表示対象物として選択する（ステップＳ５０）。例えば、画面７０に基づいて、ユーザはコンテンツコード「００１Ａ」、コンテンツ名「英会話Ａ」のバックナンバーから何月何日の英語テキストを表示するかを選択することができる。なお、ユーザは、リモコン３又はディスプレイ５上の画面タッチパネル等の入力手段によって表示する対象を選択し、ユーザが選択した情報は、受信装置２のコントローラ８を介して、表示制御装置４の識別コントローラ１１が認識する。
【０１１２】
そして、識別コントローラ１１は、ユーザが選択した情報に基づいて、受信装置２におけるハードディスク６内のコンテンツフォルダＡから該当するコンテンツデータを抽出する（ステップＳ５１）。また、識別コントローラ１１は、受信装置２のコントローラ８からユーザが現在視聴中の番組が開始後何分経過しているかを時間情報として取得する（ステップＳ５２）。そして、識別コントローラ１１は、当該取得した時間情報、及び、ステップＳ４２で取得した不変コード３１に含まれる表示許可時間の情報を比較する（ステップＳ５３）。ユーザの当該番組の視聴開始時間が表示許可時間に満たない場合、識別コントローラ１１は、ステップＳ５２及びＳ５３を繰り返す。一方、ユーザの当該番組の視聴開始時間が表示許可時間を経過した場合、識別コントローラ１１は、ユーザが選択したコンテンツデータをコード記録済ペーパー状表示媒体１９に表示する（ステップＳ５４）。これにより、ユーザは、選択したコンテンツの情報をペーパー状表示媒体上で確認することができる。また、使用制限回数内であれば、何度でもコンテンツの情報を表示媒体上に表示することができる。
【０１１３】
次に、抽出した番組コードと対応番組コードが一致しない場合について説明する。識別コントローラ１１は、コード記録済ペーパー状表示媒体１９に表示するコンテンツは復習用コンテンツであると認識する。そして、識別コントローラ１１は、ステップＳ４２で取得したコンテンツデータ及びチェックボックス３６の情報に基づいて、コンテンツリスト９からコンテンツ種類が復習用であり、且つ、レベルが上級であるバックナンバーを抽出する。そして、識別コントローラ１１は、当該バックナンバーなどの情報をユーザが表示対象物を選択するための画面７０としてディスプレイ５上に表示する（ステップＳ５５）。
【０１１４】
ユーザは、ディスプレイ５上に表示された画面７０からコード記録済ペーパー状表示媒体１９に表示する対象を表示対象物として選択する（ステップＳ５６）。そして、識別コントローラ１１は、ユーザが選択した情報に基づいて、受信装置２におけるハードディスク６内のコンテンツフォルダＡから該当するコンテンツデータを抽出する（ステップＳ５７）。そして、識別コントローラ１１は、ユーザが選択したコンテンツデータをコード記録済ペーパー状表示媒体１９に表示する（ステップＳ５８）。これにより、ユーザは、選択したコンテンツの情報をペーパー状表示媒体上で確認することができる。また、使用制限回数内であれば、何度でもコンテンツの情報を表示媒体上に表示することができる。
【０１１５】
なお、表示制御処理は、表示制御装置４に予め組み込まれた当該処理を行うためのプログラムを実行することにより行うことができ、又は、蓄積型データ放送サービスにおいて標準的に使用されるコンテンツの記述言語であるＢＭＬ内のスクリプト処理により行うこともできる。
【０１１６】
ステップＳ５４又はＳ５８により、ユーザが選択したコンテンツデータをコード記録済ペーパー状表示媒体１９に表示すると、識別コントローラ１１は、表示制御処理を終了し、図７に示すメインルーチンに戻る。そして、識別コントローラ１１は、図７に示すように、情報提供処理を終了する。なお、本実施形態では、コード記録済ペーパー状表示媒体１９の使用制限として使用制限回数を設定しているが、回数ではなく期限などを任意に設定することができる。
【０１１７】
ところで、ユーザ環境１における受信装置２内のハードディスク６には、ユーザがコード記録済ペーパー状表示媒体１９を購入するか否かを問わず複数のコンテンツが蓄積されている。よって、ユーザが英語テキストに対応するコンテンツを表示するためのコード記録済ペーパー状表示媒体１９を購入するか否かを問わず、英会話番組はハードディスク６のサービスエリア内に記録されている。
【０１１８】
また、それぞれのコンテンツの情報をどのくらいの頻度で削除、更新するかは、ハードディスク６におけるサービスディレクトリの容量や各コンテンツの内容に応じてコンテンツ提供会社１３又は放送局１６によって任意に設定される。なお、コンテンツの情報、即ち、属性データやコンテンツデータの削除、更新は、コンテンツリスト９に反映される。また、所定のコンテンツの削除、更新頻度は、コンテンツデータと共にコンテンツ提供会社１３又は放送局１６からコード管理センター１４に通知され、コード管理センター１４は、当該コンテンツデータに基づいて管理ＤＢ１５に削除、更新頻度を記録する。
【０１１９】
なお、本実施形態では、所定のデータ放送番組やコンテンツを、人工衛星や地上波デジタル放送基地を介して放送波によりユーザ環境に提供している。しかし、本発明の実施はこれに限らず、所定のデータ放送番組やコンテンツを、通信ケーブルを媒体とするＣＡＴＶ（Ｃｏｍｍｕｎｉｔｙ　Ａｎｔｅｎｎａ　ＴＶ）の放送や、インターネット等の配信により提供することも可能である。
【０１２０】
また、本実施形態では、コンテンツ提供会社１３と放送局１６が別の機関となっているが、１つの機関として処理を行っても構わない。
【０１２１】
また、本実施形態では、語学番組に対応する語学テキストの情報をコンテンツとしてユーザに提供する例について説明したが、語学番組をはじめとする教育番組に限定されるものではなく、データ放送番組に対応しているコンテンツであれば、本発明を適用することが可能である。
【０１２２】
［変形例１］
上記の実施形態では、表示許可時間は、１つのコンテンツに対して１つ設定されていたが、１つのコンテンツに対して複数設定することも可能である。具体的には、コンテンツ提供会社１３の提供する１５分間の英会話番組の場合、当該番組の進行に従って、番組開始５分後に英文、番組開始８分後に文法、そして、番組開始１０分後に日本語訳をコード記録済ペーパー状表示媒体１９に表示することができるように表示許可時間を設定することができる。即ち、英語テキスト１ページに相当する情報毎にユーザが設定したコンテンツデータの表示を制御することが可能である。
【０１２３】
これにより、ユーザの任意のタイミングではなく、コンテンツ提供会社１３が意図する任意のタイミングで英語テキストをコード記録済ペーパー状表示媒体１９に表示することができるので、英語の学習をする上で最も効果的なタイミングでユーザに英語テキストを提供することができる。また、１つのコンテンツに対して複数の表示許可時間を設定することができるため、当該英会話番組の番組進行に合わせて詳細に設定することができる。
【０１２４】
［変形例２］
上記の実施形態では、コード記録済ペーパー状表示媒体１９の不変コード内に予め記録されている表示許可時間を利用して、コンテンツをユーザに提供する時間を制御しているが、同様の制御を、データ放送として提供することが可能なトリガ情報などを利用して行うこともできる。ここで、トリガ情報とは、放送局１６からユーザ環境１の受信機２に提供するデータ中に含められ、表示許可タイミングを示す割り込み信号である。このトリガ情報としては、例えば放送局から送信されるイベントメッセージを使用することができる。
【０１２５】
ユーザが所定のコンテンツに対応する番組を視聴する方法としては、既に受信機２のハードディスク６内におけるサービスエリアに蓄積された蓄積番組を再生することで視聴する方法、又は、コンテンツ提供会社１３から放送局１６を介して提供される当該対応番組をリアルタイムにアンテナ１０によって受信し視聴する方法などが考えられる。
【０１２６】
リアルタイムに当該対応番組を視聴する方法では、受信装置２は、当該番組を受信しながら、放送局１６からトリガ情報を受信することができる。例えば、ユーザが１５分間の英会話番組を視聴していた場合、当該番組の進行に従って、番組開始５分後に英文、番組開始８分後に文法、そして、番組開始１０分後に日本語訳をコード記録済ペーパー状表示媒体１９に表示ができるように、表示許可タイミングを示すトリガ情報を放送局１６は提供する。受信装置２のコントローラ８は、当該トリガ情報に基づいて表示許可を表示制御装置４に提供し、識別コントローラ１１は、ペーパー状表示媒体に該当するコンテンツデータを表示する。これによれば、表示許可時間を不変コード内に予め記録する方法と異なり、視聴開始時間と表示許可時間の比較を表示制御装置４が行う必要がないため、表示制御装置４の負荷を軽減することができる。
【０１２７】
表示許可時間を設定する方法としては、この他にも、トリガ情報を予めコンテンツに組み込んでおくなど、種々の方法が考えられる。即ち、英会話番組として放送されるコンテンツ中に、トリガ情報を予め埋め込んだ上で、放送する。こうすれば、ユーザはリアルタイムで放送番組を視聴するのではなく、受信装置２のハードディスク６内に蓄積された英会話番組を後で再生する場合でも、その英会話番組のコンテンツ中にトリガ情報が含まれているので、同様に英語テキストなどのコンテンツの表示許可制御を行うことができる。
【０１２８】
以上説明したように、本発明によれば、ユーザは、コード記録済ペーパー状表示媒体を購入することで、蓄積型データ放送サービスを利用して、コンテンツコードが当該表示媒体のコンテンツコードと一致するコンテンツを当該表示媒体に表示することができる。例えば、英会話番組に対応する英語テキストの情報を、蓄積型データ放送サービスを利用し、コンテンツとしてユーザに提供する場合、ユーザは従来のように毎月書店等に当該テキストを買いに行く必要がなく、１度ペーパー状表示媒体を購入すれば、使用回数や使用期限の範囲内において当該番組の進行に合わせて自由に当該テキストの内容を取得することができる。よって、ユーザの手間を軽減することができる。また、コンテンツ提供会社は、毎月当該テキストを印刷会社により紙媒体として製本する必要がないため、大幅にコストを削減することができる。
【０１２９】
さらに、コード記録済ペーパー状表示媒体は書き換え可能であり、毎日更新される英語テキストの情報を、１枚の表示媒体で１年間以上表示することができる。即ち、従来の製本された紙媒体のように資源ゴミにならない。また、英語テキストに対応するコンテンツのような有料コンテンツには、当該表示媒体の使用制限があるが、使用制限を超えても当該表示媒体の耐用回数を超えなければ、無料コンテンツの表示など再利用が可能であり、環境問題を考慮した資源の有効利用が図れる。
【０１３０】
また、本発明によれば、１つのコンテンツに対して、ユーザの任意情報を複数設定することができる。具体的に、英会話番組に対応する英語テキストのコンテンツである場合、コンテンツ提供会社は、ユーザの知識レベルに合わせて上級、中級、初級といった複数のレベルの任意情報を設定し、それぞれの任意情報に対応したコンテンツデータを作成している。即ち、同一の英会話番組に対応する英語テキストであっても、知識レベルに合わせて内容を動的に変化させることができる。よって、ユーザは、１つのコンテンツの中で自身の知識レベルに合わせたコンテンツデータを選択し、コード記録済ペーパー状表示媒体に表示することができる。
【０１３１】
当該ペーパー状表示媒体に表示するコンテンツの情報に対するユーザによる任意情報の選択は、コード記録済ペーパー状表示媒体のチェックボックスに、記録装置で印をつけることにより行う。例えば、英会話番組に対応する英語テキストがコンテンツとして提供されている場合、ユーザは、自身の英語の知識レベルに基づいて当該チェックボックスに印をつけることで、当該ペーパー状表示媒体に表示する自身の知識レベルに合致したコンテンツの情報を選択することができる。なお、記録装置によってつけた印は、消去可能であり、ユーザは何度も任意情報の設定をすることができる。よって、ユーザは自身の状況に応じて、例えば英語の知識の上昇に合わせて当該レベルを上昇させることが可能となる。よって、効果的な学習を進めることができる。
【０１３２】
また、１つのコンテンツに対し、ユーザが当該コンテンツの対応番組を閲覧中であるか否かを条件として、ペーパー状表示媒体に表示するコンテンツデータを制限することもできる。例えば、英会話番組に対応する英語テキストのコンテンツであって、コード記録済ペーパー状表示媒体にユーザの任意のコンテンツデータを表示させる場合、ユーザが当該番組を閲覧中であれば、受講用のコンテンツデータを表示させる。一方、ユーザが当該番組を閲覧していなければ、復習用のコンテンツデータを表示させる。これによれば、コンテンツ提供会社がユーザによるコンテンツデータの表示に対し、一定の制御を行うことが可能である。即ち、コンテンツに含まれる複数のコンテンツデータを、コンテンツ提供会社の考える最も効果的な状況でユーザに表示させることができる。これによれば、コンテンツ提供会社の制御に基づいて、受講用コンテンツデータや復習用コンテンツデータをコード記録済ペーパー状表示媒体に表示することにより、ユーザは効果的に学習を進めることができる。
【０１３３】
また、本発明では、表示許可時間を設定することができる。これにより、ユーザの任意のタイミングではなく、コンテンツ提供会社の任意のタイミングで、当該コンテンツに含まれるコンテンツデータをペーパー状表示媒体に表示させることが可能である。よって、コンテンツ提供会社の考える最も効果的なタイミングでユーザにコンテンツを提供することができる。また、１つのコンテンツに対して複数の表示許可時間を設定することができるため、当該コンテンツに対応する番組のプログラムに合わせて詳細に設定することができる。例えば、英会話番組に対応する英語テキストをコンテンツとしてユーザに提供する場合、英会話番組視聴中に、コンテンツ提供会社が最も英語学習において効果的であると考えるタイミングで、当該英語テキストをコード記録済ペーパ−状表示媒体に表示させることができるため、ユーザは効果的に学習を進めることができる。
【０１３４】
【発明の効果】
以上説明したように、本発明によれば、テキストのユーザへの情報提供として蓄積型データ放送サービスを利用することにより、コストの削減、ユーザの負担の減少、テキストの効果的な活用及び環境問題を考慮した情報提供システムを提供することができる。
【図面の簡単な説明】
【図１】本発明に係る情報提供システムの概略構成を示す図である。
【図２】本発明のコンテンツフォルダの記録場所、及び、コンテンツフォルダに記録されているコンテンツ情報のデータ構造を模式的に示す図である。
【図３】本発明の情報提供システムに使用されるコンテンツリストのデータ構造を模式的に示す図である。
【図４】本発明のペーパー状表示媒体の構成、及び、表示媒体上のコードが有する情報を模式的に示す図である。
【図５】本発明のペーパー状表示媒体の層構造を示す断面図である。
【図６】ユーザが表示対象物を選択する際の表示画面
【図７】図１の情報提供システムにおける情報提供処理を示すフローチャートである。
【図８】図７の情報提供処理に含まれるコンテンツ蓄積処理を示すフローチャートである。
【図９】図７の情報提供処理に含まれるペーパー状表示媒体処理を示すフローチャートである。
【図１０】図７の情報提供処理に含まれる表示制御処理を示すフローチャートである。
【符号の説明】
１　　ユーザ環境
２　　受信装置
３　　リモコン
４　　表示制御装置
５　　ディスプレイ
６　　ハードディスク
７　　チューナー
８　　コントローラ
９　　コンテンツリスト９
１０　アンテナ
１１　識別コントローラ
１２　コードリーダ
１３　コンテンツ提供会社（教育番組制作会社）
１４　コード管理センター
１５　管理ＤＢ
１６　放送局
１７　人工衛星
１８　コード記録会社
１９　コード記録済ペーパー状表示媒体
２０　地上波デジタル放送基地
２１　記録装置
【図１】
2004040702.tif 000003
【図２】
2004040702.tif 000004
【図３】
2004040702.tif 000005
【図４】
2004040702.tif 000006
【図５】
2004040702.tif 000007
【図６】
2004040702.tif 000008
【図７】
2004040702.tif 000009
【図８】
2004040702.tif 000010
【図９】
2004040702.tif 000011
【図１０】
2004040702.tif 000012